(57)【要約】  【課題】  動作温度の変動による使用波長の変化に伴う回折角の変動による光軸の不一致を抑制できる光ピックアップ装置を提供すること。  【解決手段】  第一の使用波長の光束を出射する第一の光源１ａと、第二の使用波長の光束を出射する第二の光源１ｂと、第一の光源１ａが出射した光束および第二の光源１ｂが出射した光束のそれぞれを同一次数の回折させ透過させる回折素子２とを備える光ピックアップ装置であって、回折素子２は、第一の光源１ａが出射した光束および第二の光源１ｂが出射した光束を回折透過させた後に、各光束の光軸が相互になす角度が回折前になす角度に比して接近するように回折させるように構成される。【選択図】  図１
2005346885.tif 000002
【特許請求の範囲】
【請求項１】
第一の使用波長の光束を出射する第一の光源と、前記第一の使用波長とは異なる第二の使用波長の光束を出射する第二の光源と、前記第一の光源が出射した光束および前記第二の光源が出射した光束のそれぞれを同一次数の回折させ透過させる回折素子と、各前記光源が出射した光を光記録媒体へ集光する対物レンズと、前記対物レンズによって集光され前記光記録媒体により反射された光を受光する受光素子とを備える光ピックアップ装置であって、
前記回折素子は、前記第一の光源が出射した光束および前記第二の光源が出射した光束を回折させ透過させた後に、各前記光束の光軸が相互になす角度が回折前になす角度に比して接近するように回折させることを特徴とする光ピックアップ装置。
【請求項２】
前記第一の光源が出射した光束および前記第二の光源が出射した光束を前記回折素子が回折させる次数は、１次である請求項１に記載の光ピックアップ装置。
【請求項３】
前記回折素子は、中心波長がそれぞれ６５０ｎｍおよび７８０ｎｍの光束を、８０％以上の１次回折効率で回折させる請求項１または２に記載の光ピックアップ装置。
【請求項４】
前記回折素子は、断面形状が鋸歯状の周期構造を有する回折格子によって構成される請求項１から３までのいずれか１項に記載の光ピックアップ装置。
【請求項５】
前記回折素子は、断面形状が階段状の周期構造を有する回折格子によって構成される請求項１から３までのいずれか１項に記載の光ピックアップ装置。
【請求項６】
前記回折素子は、前記回折格子の周期構造の１周期が６ステップ以上３２ステップ以下の階段によって構成される請求項５に記載の光ピックアップ装置。
【請求項７】
前記回折素子は、前記回折素子の材質が無機材料である請求項１から６までのいずれか１項に記載の光ピックアップ装置。
【発明の詳細な説明】
【技術分野】
【０００１】
本発明は、ＣＤ、ＤＶＤ等のディスクの厚さや記録密度の異なる光記録媒体（以下、光ディスクという。）への情報の記録または光ディスクからの情報の再生を行う光ピックアップ装置に関する。
【背景技術】
【０００２】
従来、光ディスクへの情報の記録または光ディスクからの情報の再生（以下、単に光ディスクの記録再生という。ＣＤ、ＤＶＤ等の具体的な記録媒体に対しては、「ＣＤの記録再生」、「ＤＶＤの記録再生」等というものとする。）が、ＣＤ、ＤＶＤ等の異なる種類の光ディスク間で可能な光ピックアップ装置が知られている。ここで、ＣＤの記録再生には７８０ｎｍ付近の使用波長のレーザ光源が必要であり、ＤＶＤの記録再生には６５０ｎｍ付近の使用波長のレーザ光源が必要であることが知られている。
【０００３】
このように使用波長が異なる光ディスク間で光ディスクの記録再生を行うことができるようにするため、従来、発振波長の異なる２個のレーザを搭載した、所謂、２レーザ方式の光ピックアップ装置が実用化された。これは、個別に製作されたレーザを１つの光ピックアップ装置上に搭載するものである。近年、光ピックアップ装置の小型化および低価格化を図るため、発振波長の異なる複数のレーザダイオードを単一基板上に一体集積した、所謂、ツインレーザが開発され、実用化されてきた。
【０００４】
上記の２レーザ方式の光ピックアップ装置、または、ツインレーザを搭載した光ピックアップ装置では、コリメーターレンズ、対物レンズ、受光素子等の光学部品を２つの使用波長において共通に使用するため、異なる位置に配置された光源から出射される２つの光束の光軸が一致するように合波する必要がある。
【０００５】
従来の光ピックアップ装置では、回折素子を用いて異なる位置に配置されたレーザから出射される２つの光束の光軸が一致するように合波する方法として、一方の使用波長の光束を０次で透過させ、他方の使用波長の光束を１次で回折させ透過させ（以下、回折させ透過させることを「回折透過」という。）、回折素子から出射されたそれぞれの光束の光軸が一致する回折素子の配置を決定する方法がとられていた。
【０００６】
ここで、レーザ光の波長は動作温度に依存して変動し、動作温度の変動によりレーザ光の波長が変動した場合、０次光は回折素子を通過することによって影響をほとんど受けないが、１次回折光は回折素子を回折透過することによって回折角が波長に比例して変化する。このため、１次回折光は、回折素子を回折透過することによって、波長が変動した分、回折角も変動することになり、２つの光束の光軸を一致させることができなくなっていた。
【０００７】
そのため、係る温度変動の影響を回避しようとする技術が開示された（例えば、特許文献１参照。）。ここで、特許文献１には、それまで回折素子の材料として用いられていた線膨張係数の小さな無機材料の代わりに、線膨張係数の大きな合成樹脂を用いることが開示されている。線膨張係数の大きな合成樹脂を用い、温度変動により回折格子のピッチが変動することを利用して、動作温度の変動による使用波長の変化に伴う回折角の変動を相殺しようとするものである。
【特許文献１】特開２００２−１１６３１４号公報
【発明の開示】
【発明が解決しようとする課題】
【０００８】
しかし、このような特許文献１に開示された従来の技術では、動作温度の変動に伴う回折角の変動を相殺できる適切な材料を選択することが困難である問題があった。具体的には、レーザの温度変化に対する波長変動は０．２５（ｎｍ／℃）程度であるが、この波長変動に対しては、線膨張係数αが３×１０−４程度の樹脂が望ましいのに対して、光ピックアップ装置に用いられるアクリルまたはポリオレフィン系樹脂等の、所謂、光学グレードの樹脂の線膨張係数は７×１０−５程度であった。
【０００９】
また、上記の回折素子に用いる光学グレードの樹脂としては、レーザ付近に配置されるため、熱歪みの少ない材料が望まれるが、樹脂であることから熱歪みを小さくすることは困難であった。
【００１０】
本発明はこのような問題を解決するためになされたもので、線膨張を利用して動作温度の変動による回折角の変動を相殺することなく、動作温度の変動による使用波長の変化に伴う回折角の変動による光軸の不一致を抑制できる光ピックアップ装置を提供する。
【課題を解決するための手段】
【００１１】
以上の点を考慮して、請求項１に係る発明は、第一の使用波長の光束を出射する第一の光源と、前記第一の使用波長とは異なる第二の使用波長の光束を出射する第二の光源と、前記第一の光源が出射した光束および前記第二の光源が出射した光束のそれぞれを同一次数の回折させ透過させる回折素子と、各前記光源が出射した光を光記録媒体へ集光する対物レンズと、前記対物レンズによって集光され前記光記録媒体により反射された光を受光する受光素子とを備える光ピックアップ装置であって、前記回折素子は、前記第一の光源が出射した光束および前記第二の光源が出射した光束を回折させ透過させた後に、各前記光束の光軸が相互になす角度が回折前になす角度に比して接近するように回折させる構成を有している。
【００１２】
この構成により、回折素子が、第一の光源が出射した光束および第二の光源が出射した光束のそれぞれを同一次数の回折させ透過させるため、動作温度の変動が各光束に及ぼすの影響を同程度にできたため、線膨張を利用して動作温度の変動による回折角の変動を相殺することなく、動作温度の変動による使用波長の変化に伴う回折角の変動による光軸の不一致を抑制できる光ピックアップ装置を実現できる。
【００１３】
また、請求項２に係る発明は、請求項１において、前記第一の光源が出射した光束および前記第二の光源が出射した光束を前記回折素子が回折させる次数は、１次である構成を有している。
【００１４】
この構成により、請求項１の効果に加え、回折素子が回折させる次数は１次であるため、回折効率の高い光束を利用できる光ピックアップ装置を実現できる。
【００１５】
また、請求項３に係る発明は、請求項１または２において、前記回折素子は、中心波長がそれぞれ６５０ｎｍおよび７８０ｎｍの光束を、８０％以上の１次回折効率で回折させる構成を有している。
【００１６】
この構成により、請求項１または２の効果に加え、回折素子が、中心波長がそれぞれ６５０ｎｍおよび７８０ｎｍの光束を、８０％以上の１次回折効率で回折させるため、記録再生に充分なパワーの光束を確保できる光ピックアップ装置を実現できる。
【００１７】
また、請求項４に係る発明は、請求項１から３までのいずれか１項において、前記回折素子は、断面形状が鋸歯状の周期構造を有する回折格子からなる構成を有している。
【００１８】
この構成により、請求項１から３までのいずれか１項の効果に加え、回折素子が、断面形状が鋸歯状の周期構造を有する回折格子によって構成されるため、回折素子を簡易に製作できる光ピックアップ装置を実現できる。
【００１９】
また、請求項５に係る発明は、請求項１から３までのいずれか１項において、前記回折素子は、断面形状が階段状の周期構造を有する回折格子からなる構成を有している。
【００２０】
この構成により、請求項１から３までのいずれか１項の効果に加え、回折素子が、断面形状が階段状の周期構造を有する回折格子によって構成されるため、回折素子を簡易に製作できる光ピックアップ装置を実現できる。
【００２１】
また、請求項６に係る発明は、請求項５において、前記回折素子は、前記回折格子の周期構造の１周期が６ステップ以上３２ステップ以下の階段からなる構成を有している。
【００２２】
この構成により、請求項５の効果に加え、周期構造を有する回折格子の１周期が６ステップ以上３２ステップ以下の階段によって構成されるため、回折効率のよい回折素子をさらに簡易に製作できる光ピックアップ装置を実現できる。
【００２３】
また、請求項７に係る発明は、請求項１から６までのいずれか１項において、前記回折素子の材質が無機材料である構成を有している。
【００２４】
この構成により、請求項１から６までのいずれか１項の効果に加え、回折素子の材質が無機材料であるため、熱歪みの少ない回折素子を構成要素とする光ピックアップ装置を実現できる。
【発明の効果】
【００２５】
本発明は、回折素子が、第一の光源が出射した光束および第二の光源が出射した光束のそれぞれを同一次数の回折させ透過させるため、動作温度の変動が各光束に及ぼすの影響を同程度にできたため、線膨張を利用して動作温度の変動による回折角の変動を相殺することなく、動作温度の変動による使用波長の変化に伴う回折角の変動による光軸の不一致を抑制することができる光ピックアップ装置を実現できる。
【発明を実施するための最良の形態】
【００２６】
以下、本発明の実施の形態について、図面を用いて説明する。
【００２７】
図１は、本発明の実施の形態に係る光ピックアップ装置の概念的な構成を示す図である。図１において、光ピックアップ装置は、使用波長λａの光束を発する第１の光源１ａ、使用波長λｂの光束を発する第２の光源１ｂ、各光源１ａ、１ｂからの光束を合波するための回折素子２、偏光ビームスプリッタ等の光学素子３、入射した光束を略平行光に変換するコリメーターレンズ４、絞り５、対物レンズ６、第１の光ディスク７（７ａは光ディスク７の情報記録面）、第２の光ディスク８（８ａは光ディスク８の情報記録面）、受光素子９を含むように構成される。
【００２８】
第１の光源１ａが出射した光束は、回折素子２を回折してから透過し（以下、単に「回折透過」という。）、光学素子３およびコリメーターレンズ４を透過し、絞り５を通過し、対物レンズ６を透過し、第１の光ディスク７の情報記録面７ａに集光する。同様に、第２の光源１ｂが出射した光束は、回折素子２を回折透過し、光学素子３およびコリメーターレンズ４を透過し、絞り５を通過し、対物レンズ６を透過し、第２の光ディスク８の情報記録面８ａに集光する。
【００２９】
第１の光ディスク７の情報記録面７ａまたは第２の光ディスク８の情報記録面８ａに集光させられた光束は、それぞれ、各情報記録面７ａ、８ａで反射され、対物レンズ６を透過し、絞り５を通過し、コリメーターレンズ４を透過し、光学素子３で反射されて受光素子９に入る。
【００３０】
受光素子９からの出力信号を用いて、第１の光ディスク７の情報記録面７ａ、または、第２の光ディスク８の情報記録面８ａに記録された情報の読み取り信号、フォーカスエラー信号、トラッキングエラー信号が得られるようになっている。なお、光ピックアップ装置には、上記フォーカスエラー信号に基づいて、レンズを光軸方向に移動する機構（フォーカスサーボ）、及び上記トラッキングエラー信号に基づいて、レンズを光軸にほぼ垂直の方向に移動する機構（トラッキングサーボ）が含まれるが、図１に示す構成では省略されている。
【００３１】
第１の光源１ａは、例えば、半導体レーザで構成され、波長６５０ｎｍ近傍の波長で発散光束を直線偏光で出射するようになっている。同様に、第２の光源１ｂは、例えば、半導体レーザで構成され、７８０ｎｍ近傍の波長で発散光束を直線偏光で出射するようになっている。ここで、上記第１の光源１ａと第２の光源１ｂとは別体で構成されるものには限定されず、単一の半導体基板上に波長の異なるレーザを一体に集積した、所謂、ツインレーザでもよい。また、波長６５０ｎｍ近傍とは６３０から６７０ｎｍまでの間をいい、波長７８０ｎｍ近傍とは７６０から８００ｎｍまでの間をいう。
【００３２】
回折素子２は、第１の光源１ａおよび第２の光源１ｂが出射する各光束を回折透過させ、回折透過後の各光束の光軸の方向がほぼ一致するように構成されている。すなわち、回折素子２は、第１の光源１ａおよび第２の光源１ｂが出射する各光束を合波するように構成されている。係る合波に、同一次数で回折透過した光束を用いるものである。具体的には、共に１次で回折透過した光束を用いる。回折素子２の詳細については、実施例において詳述する。
【００３３】
光学素子３は、回折素子２を回折透過することによって合波された光束をコリメーターレンズ４側に透過させると共に、第１の光ディスク７の情報記録面７ａ、または、第２の光ディスク８の情報記録面８ａで反射された戻り光を反射させて受光素子９に導くようになっている。
【００３４】
コリメーターレンズ４は、回折素子２を回折透過することによって合波された光束を、ほぼ平行光に変換するようになっている。
【００３５】
絞り５は、光源１ａおよび光源１ｂからの光束を選択的に開口制限することによって、開口数ＮＡを設定するようになっている。これによって、光ディスクの記録再生の際、第１の光ディスク７用の開口数と第２の光ディスク８用の開口数とが異なる場合、絞り５により開口数を調整できる。第１の使用波長λａの光束に対してはＮＡを０．６５となるようにし、第２の使用波長λｂの光束に対してはＮＡを０．５０となるようにした。なお、第１の光ディスク７用の開口数と第２の光ディスク８用の開口数とが同じである場合には、絞り５は通常不要である。絞り５には、機械的絞り、光学的絞り等があり、特に限定されないものとする。
【００３６】
対物レンズ６は、第１の使用波長λａおよび第２の使用波長λｂにおいて共通に使用できる程度に収差補正された単レンズであり、第１の使用波長λａおよび第２の使用波長λｂのそれぞれの平行光を光ディスク７の情報記録面７ａ、および、光ディスク８の情報記録面８ａに集光させるようになっている。係る対物レンズ６として、例えば、特開２００１-３４４７９８号広報に開示された対物レンズ等を用いることができる。
【００３７】
第１の光ディスク７は、波長λａの光束を用いた情報の書き込みまたは読み出しに用いるものであり、例えば、０．６ｍｍの保護層厚を有する。また、第２の光ディスク８は、波長λｂの光束を用いた情報の書き込みまたは読み出しに用いるものであり、例えば、１．２ｍｍの保護層厚を有する。
【００３８】
受光素子９は、光ディスク７の情報記録面７ａ、および、光ディスク８の情報記録面８ａからの反射光を受光し、受光した反射光に基づき、これらの各情報記録面７ａ、８ａに記録された情報に応じた、読み取り信号、フォーカスエラー信号、トラッキングエラー信号の各信号を生成し、外部に出力するようになっている。
【実施例】
【００３９】
上記の本発明の実施の形態に基づく具体的な実施例を以下に説明する。ここで、本実施例に係る光ピックアップ装置の光学配置は、図１に示す上記の光学配置と同様とする。本実施例に係る光ピックアップ装置は、合波のために、第１の使用波長λａおよび第２の使用波長λｂの光束を、共に、回折素子２を同一次数で回折透過させるものである。特に、１次で回折透過した光束の光軸を一致させ、合波させるものである。以下では、特に断らない限り、回折素子２における回折の次数を１次とする。
【００４０】
以下、合波について具体的に説明する。図２は、本発明の実施の形態に係る光ピックアップ装置が行う合波についての説明図である。図２において、第１の光源１ａおよび第２の光源１ｂが出射した光束は、それぞれ、経路２１、２２を光軸として回折素子２に角度θａ、θｂで入射し、ほぼ同一の経路２３を光軸として光学素子３の方向に出射される。ここで、第１の光源１ａの配置は、第１の光源１ａが出射した光束の回折素子２への入射角θａが、第１の光源１ａの波長（第１の使用波長）をλａ、回折素子２の回折格子のピッチをｐとして、
θａ＝λａ／ｐ
となるように行う。
【００４１】
また、第２の光源１ｂの配置は、第２の光源１ｂが出射した光束の回折素子２への入射角θｂが、第２の光源１ｂの波長（第２の使用波長）をλｂとして、
θｂ＝λｂ／ｐ
となるように行う。上記のように第１の光源１ａと第２の光源１ｂとを配置することによって、各光源から出射された光束の回折後の光軸が一致することになる。
【００４２】
図３は、本実施例に係る回折素子２の断面の一部を概念的に示す断面図である。図３に示す断面図は、出射光の光軸を含む面を断面とし、出射光の光軸近傍の一部の領域の断面図である。ここで、符号３１で示す回折素子２の面は、光源１ａ、１ｂが出射する光束の入射面であり、符号３２で示す回折素子２の面は、回折透過した光束の出射面である。本実施例に係る回折素子２の材料は、線膨張係数および熱歪みがアクリルまたはポリオレフィン系樹脂等の、所謂、光学グレードの樹脂よりも小さい石英ガラスである。回折格子２は、エッチング技術を用いて形成されている。
【００４３】
回折格子２は、断面形状が階段状の周期構造を有する回折格子によって構成される。すなわち、同心円状の輪帯の平坦な領域ができ、各輪帯間に、階段の段差分の跳びが形成されている。本実施例では、回折格子の周期構造の１周期が６ステップの階段によって構成される。係る回折格子は、バイナリブレーズド回折格子と称されるものである。また、各階段の段差ｄを、それぞれ、０.２５４μｍとした。
【００４４】
上記のように、階段の平坦な面の合計数を６とし、各階段の段差ｄを、それぞれ、０.２５４μｍに設定することによって、第１の使用波長λａ（６５０ｎｍ）の光束、および、第２の使用波長λｂ（７８０ｎｍ）の光束の１次回折の回折効率を共に８０％以上にできる。なお、上記では、回折格子２の周期構造の１周期を６ステップとしたが、回折格子２の周期構造の１周期は、６ステップには限定されず、６ステップ以上であればよい。６ステップ以上であれば、第１の使用波長λａの光束、および、第２の使用波長λｂの光束の１次回折の回折効率を共に８０％以上にできる。すなわち、８ステップなら８４％、１０ステップなら８６％、３２ステップなら８７％である。
【００４５】
本実施例に係る回折格子２の周期構造の１周期は、特に、６ステップ以上３２ステップ以下のいずれかのステップ数の階段で構成されることが好適である。回折素子２の断面構造に階段状の周期構造を持たせた上にステップ数を６ステップ以上３２ステップ以下とすることで、回折効率を高く保持できると共に簡易に回折素子２を製作できる。また、回折素子２は、断面形状が鋸歯状の周期構造を有する回折格子によって構成されるのでもよい。ここで、上記の周期構造をなす階段のステップ数を無限に増加させた極限が、鋸歯状の周期構造と考えることができる。
【００４６】
以下に、動作温度の変動（以下、単に温度変動という。）による波長変動で、回折後の光束の光軸の方向（以下、回折方向という。）がどのように変化するかについて説明する。以下、第１の使用波長λａの光束を出射する光源（第１の光源１ａ）の温度変動による単位温度当たりの波長変化をＬａ（ｎｍ／℃）とし、第２の使用波長λｂの光束を出射する光源（第２の光源１ｂ）の温度変動による単位温度当たりの波長変化をＬｂ（ｎｍ／℃）とする。
【００４７】
このとき、第１の光源１ａが出射する光束の回折方向の波長変動Δλａによる回折方向の変化Δθａは、
Δ      Δθａ＝Δλａ／ｐ
ここで、ｐは回折格子のピッチである。
【００４８】
その結果、第１の光源１ａが出射する光束の温度変動ΔＴによる回折方向の変化Δθａは、
Δθａ＝Ｌａ・ΔＴ／ｐ
となる。
【００４９】
同様に、第２の光源１ｂが出射する光束の温度変動ΔＴによる回折方向の変化Δθｂは、
Δθｂ＝Ｌｂ・ΔＴ／ｐ
となる。
【００５０】
したがって、第１の光源１ａおよび第２の光源１ｂが出射する光束の回折方向の変化の差異ΔΘは、
ΔΘ＝｜Δθａ−Δθｂ｜
＝｜（Ｌａ−Ｌｂ）・ΔＴ／ｐ｜
となる。
【００５１】
ここで、第１の光源１ａ（使用波長６５０ｎｍ）についての上記の単位温度当たりの波長変化Ｌａは０．２０（ｎｍ/℃）程度であり、第１の光源１ａ（使用波長７８０ｎｍ）についての上記の単位温度当たりの波長変化Ｌｂは０．２５（ｎｍ／℃）程度であるので、第１の光源１ａおよび第２の光源１ｂが出射する光束の回折方向の変化の差異ΔΘは、
ΔΘ＝｜０．０５・ΔＴ／ｐ｜
となる。
【００５２】
本実施例で得られた、第１の光源１ａおよび第２の光源１ｂが出射する光束の回折方向の変化の差異ΔΘを、従来の光ピックアップ装置において得られる差異、すなわち、回折素子が第１の使用波長６５０ｎｍの光束を０次で回折（透過）させ、第２の使用波長７８０ｎｍの光束を１次で回折透過させたものを合波する場合に得られる差異と比較してみる。
【００５３】
従来の光ピックアップ装置では、第１の使用波長６５０ｎｍの光束を０次で回折（透過）させるため、温度変動に起因する波長変動によって回折方向の変動は生じない。これに対して、第２の使用波長７８０ｎｍの光束については、１次で回折透過させるため、温度変動ΔＴに起因する波長変動によって、
Δθ＝Ｌｂ・ΔＴ／ｐ
変化する。
【００５４】
その結果、第１の光源１ａおよび第２の光源１ｂが出射する光束の回折方向の変化の差異ΔΘ'は、
ΔΘ'＝｜Δθ｜＝｜Ｌｂ・ΔＴ／ｐ｜
となる。ここで、Ｌｂは０.２５（ｎｍ／℃）程度であるので、光束の回折方向の変化の差異ΔΘ'は、
ΔΘ'＝｜０.２５・ΔＴ／ｐ｜
となる。
【００５５】
以上の比較により、第１の光源１ａおよび第２の光源１ｂが出射する両方の光束に１次回折を用いる方の回折方向の変化の差異ΔΘが、従来の光ピックアップ装置において得られる差異ΔΘ'の１／５程度となり、温度変動による回折方向の変化の差異が小さく、結果として、温度変動による光軸のずれを小さくできることが示された。
【００５６】
なお、上記の実施例では、ＣＤとＤＶＤとの互換を前提として説明したが、現在実用化されようとしているＢＬＵＲＡＹ（登録商標）ディスクまたはＨＤ−ＤＶＤ（Ｈｉｇｈ  Ｄｅｆｉｎｉｔｉｏｎ  ＤＶＤ）と、従来のＤＶＤとの互換に対しても有効に適用できる。同様に、ＢＬＵＲＡＹ（登録商標）ディスクまたはＨＤ−ＤＶＤとＣＤとの互換に対しても有効に適用できる。
【００５７】
また、本実施例では、光学系が、コリメーターレンズを用いた、所謂、無限系の光学系として構成されているが、本発明が適用される範囲は無限系の光学系には限定されず、コリメーターレンズを使用しない有限系の光学系であってもよい。
【００５８】
また、本実施例では、回折素子が石英ガラスを用いて形成される例について説明したが、石英ガラスには限定されず、光学ガラス等の無機材料を用いて形成されるのでもよい。
【００５９】
以上説明したように、本発明の実施の形態に係る光ピックアップ装置は、回折素子が、第一の光源が出射した光束および第二の光源が出射した光束のそれぞれを同一次数の回折させ透過させるため、動作温度の変動が各光束に及ぼすの影響を同程度にできたため、線膨張を利用して動作温度の変動による回折角の変動を相殺することなく、動作温度の変動による使用波長の変化に伴う回折角の変動による光軸の不一致を抑制できる。
【００６０】
また、回折素子が回折させる次数は１次であるため、回折効率の高い光束を利用できる。
【００６１】
また、回折素子が、中心波長がそれぞれ６５０ｎｍおよび７８０ｎｍの光束を、８０％以上の１次回折効率で回折させるため、記録再生に充分なパワーの光束を確保できる。
【００６２】
また、回折素子が、断面形状が鋸歯状または階段状の周期構造を有する回折格子（バイナリブレーズド回折格子を含む。）によって構成されるため、回折素子を簡易に製作できる。
【００６３】
また、周期構造を有する回折格子の１周期が６ステップ以上３２ステップ以下の階段によって構成されるため、回折効率のよい回折素子をさらに簡易に製作できる。
【００６４】
また、回折素子の材質が無機材料であるため、熱歪みの少ない回折素子を実現できる。
【産業上の利用可能性】
【００６５】
本発明に係る光ピックアップ装置は、線膨張を利用して動作温度の変動による回折角の変動を相殺することなく、動作温度の変動による使用波長の変化に伴う回折角の変動による光軸の不一致を抑制できるという効果が有用な、異なる光記録媒体の記録再生を行う光ピックアップ装置等の用途にも適用できる。
【図面の簡単な説明】
【００６６】
【図１】本発明の実施の形態に係る光ピックアップ装置の概念的な構成を示す図。
【図２】本発明の実施の形態に係る光ピックアップ装置が行う合波についての説明図。
【図３】本発明の実施例に係る回折素子の断面の一部を概念的に示す断面図。
【符号の説明】
【００６７】
１ａ、１ｂ  光源
２  回折素子
３  光学素子
４  コリメーターレンズ
５  絞り
６  対物レンズ
７、８  光ディスク
７ａ、８ａ  情報記録面
９  受光素子
２１、２２、２３  光束の経路
３１  光束が入射する回折素子の入射面
３２  光束が出射する回折素子の出射面
θａ、θｂ  回折素子に入射する光束の入射角
ｄ  階段の段差
【図１】
2005346885.tif 000003
【図２】
2005346885.tif 000004
【図３】
2005346885.tif 000005